(57)【要約】【課題】  デジタルカメラで撮影した結果を、撮影者が容易に確実に確認でき、しかも被撮影者自身やその同行者も容易にかつ即座に確認できる写真撮影システムを提供する。【解決手段】  撮影により画像データを作成するデジタルカメラ１１０と、撮影者３に対する画像データの確認用モニター装置１３０ａと、被撮影者２等の顧客への演出用モニター装置１３０ｂとを備え、デジタルカメラ１１０が撮影により画像データを作成すると、確認用モニター装置１３０ａと演出用モニター装置１３０ｂとにそれぞれ画像データを送信する。確認用モニター装置１３０ａ及び演出用モニター装置１３０ｂが、デジタルカメラ１１０から送信された画像データを受信すると、それぞれ、受信した画像データを出力表示する。デジタルカメラ１１０から各モニター装置１３０への画像データの送信は無線ＬＡＮ１１を経由して行う。【選択図】  図２
2006295255.tif 000002
【特許請求の範囲】
【請求項１】
撮影により画像データを作成するデジタルカメラと、撮影者に対する画像データの確認用モニター装置と、顧客への演出用モニター装置とを備えた写真撮影システムであって、  上記デジタルカメラが、撮影により画像データを作成すると、上記確認用モニター装置と上記演出用モニター装置とにそれぞれ画像データを送信し、
上記確認用モニター装置及び上記演出用モニター装置が、上記デジタルカメラから送信された画像データを受信すると、それぞれ、受信した画像データを出力表示することを特徴とする、写真撮影システム。
【請求項２】
前記デジタルカメラと前記確認用モニター装置と前記演出用モニター装置とは、無線ＬＡＮで接続されており、
前記デジタルカメラから前記確認用モニター装置及び前記演出用モニター装置への画像データの送信は前記無線ＬＡＮを経由して行われることを特徴とする、請求項１に記載の写真撮影システム。
【請求項３】
前記デジタルカメラは、音声を入力し音声データを作成する音声入力部を備え、
前記演出用モニター装置は、音声データに基いて音声を出力する音声出力部を備え、
前記デジタルカメラは、前記音声入力部で音声データが作成されると、作成された音声データを前記演出用モニター装置に送信し、
前記演出用モニター装置は、前記デジタルカメラから音声データを受信すると、受信した音声データに基いて前記音声出力部から音声を出力することを特徴とする、請求項１に記載の写真撮影システム。
【発明の詳細な説明】
【技術分野】
【０００１】
本発明は、撮影により作成した画像データを撮影者が容易に確認でき、かつ顧客に対しても撮影状況を容易にかつ即座に提示することができる写真撮影システムに関する。
【背景技術】
【０００２】
従来、写真館内のスタジオ等では、被撮影者を所謂銀塩カメラで撮影し、現像処理等を行って写真を作成していた。また、特許文献１には、所謂銀塩カメラとして構成された主カメラ及びデジタルカメラとしての補助カメラにより被撮影者を同時に撮影することで、主カメラでの撮影状況を補助カメラの撮影状況から判断するようにした、写真撮影システムが開示されている。
【０００３】
一方で、現像処理等を不要とするデジタルカメラのみでの撮影も行われている。デジタルカメラには液晶画面が備えられており、この液晶画面に例えば撮影条件のメニューを表示させて、撮影者から容易に撮影条件などを設定することができるようになっている。また、この液晶画面には撮影により作成した画像データを表示することができ、撮影者が撮影結果を確認することができるようになっている。
【特許文献１】特公平０７−１１３７３３号公報
【発明の開示】
【発明が解決しようとする課題】
【０００４】
しかしながら、デジタルカメラの液晶画面は小さく、この液晶画面で撮影者が被写体のブレや目つぶりや衣装の乱れなど細かい不備を確認することは難しい。また、撮影者以外の者が撮影結果を撮影現場でデジタルカメラの液晶画面で確認しようとすると、撮影を一旦中断することになり、撮影業務を円滑に行うことはできない。例えば、写真館等の撮影スタジオに入りきれない被撮影者の同行者にとっては、デジタルカメラの液晶画面で撮影結果を確認することは難しい。
【０００５】
本発明は、以上の点に鑑み、デジタルカメラで撮影した結果を、撮影者が容易にかつ確実に確認することができ、しかも、被撮影者自身やその同行者も容易にかつ即座に確認することができる、写真撮影システムを提供することを目的とする。
【課題を解決するための手段】
【０００６】
上記目的を達成するために、本発明の写真撮影システムは、撮影により画像データを作成するデジタルカメラと、撮影者に対する画像データの確認用モニター装置と、顧客への演出用モニター装置とを備えた写真撮影システムであって、デジタルカメラが、撮影により画像データを作成すると、確認用モニター装置と演出用モニター装置とにそれぞれ画像データを送信し、確認用モニター装置及び演出用モニター装置が、デジタルカメラから送信された画像データを受信すると、それぞれ、受信した画像データを出力表示することを特徴とする。
【０００７】
上記構成によれば、デジタルカメラが撮影により画像データを作成すると、撮影者の確認用モニター装置と演出用モニター装置とに同時に送信され、各モニター装置に出力表示されるので、撮影者や被撮影者は撮影しながら同時にリアルタイムに撮影結果を確認することができる。よって、撮影者は撮影不備などを少なくし、又は即座に再撮影するなど早期に対応することができる。また、被撮影者にあっては、撮影結果を撮影姿勢のままで確認することができる。
【０００８】
上記構成において、好ましくは、デジタルカメラと確認用モニター装置と演出用モニター装置とは、無線ＬＡＮで接続されており、デジタルカメラから確認用モニター装置及び演出用モニター装置への画像データの送信は無線ＬＡＮを経由して行われる。
【０００９】
上記構成によれば、デジタルカメラとサーバ装置とをケーブルで接続する必要がなくなり、撮影場所にケーブルを這わすこともなくなるので、撮影者が顧客に注意を促す必要がなく、安全性がより高まり、撮影業務の効率が向上する。また、撮影場所で目障りなケーブル類をなくすことができる。さらには、スタジオ内において各種アングルで被写体を撮影することができ、顧客のニーズに応じて写真撮影を行うことができる。
【００１０】
好ましくは、デジタルカメラは、音声を入力し音声データを作成する音声入力部を備え、演出用モニター装置は、音声データに基いて音声を出力する音声出力部を備え、デジタルカメラは、音声入力部で音声データが作成されると、作成された音声データを演出用モニター装置に送信し、演出用モニター装置は、デジタルカメラから音声データを受信すると、受信した音声データに基いて音声出力部から音声を出力する。
【００１１】
上記構成によれば、演出用モニター装置は、デジタルカメラで撮影により作成された画像データを表示出力するほか、撮影現場の状況を音声出力するので、撮影スタジオに入りきれない顧客に撮影現場の臨場感を持たせることができる。よって、被撮影者の家族などに撮影時の感動を一層大きく与えることができる。
【発明の効果】
【００１２】
本発明による写真撮影システムによれば、デジタルカメラが撮影により画像データを作成すると、撮影者の確認用モニター装置と演出用モニター装置とに同時に送信され、各モニター装置に出力表示される。よって、撮影者は確認用モニター装置を見ることで撮影結果を容易にかつ確実に確認することができる。また、被撮影者やその同行者は演出用モニター装置を見ることにより、撮影結果を容易にかつ迅速に確認することができる。
【発明を実施するための最良の形態】
【００１３】
以下、図面に示した実施形態に基づいて本発明を詳細に説明する。
先ず、本発明の写真撮影システム１０が組み込まれる写真撮影印刷管理システム１全体の構成について説明する。
図１は本発明の写真撮影システム１０が組み込まれる写真撮影印刷管理システム１の構成図である。写真撮影印刷管理システム１は、図１に示すように、写真撮影システム１０とデータセンターサーバ装置２０と印刷加工受付装置３０と管理センターサーバ装置４０とをネットワークで接続して構築されている。
【００１４】
複数の写真撮影システム１０のそれぞれが、高速通信ネットワークなどの第１のネットワーク５０でデータセンターサーバ装置２０や管理センターサーバ装置４０に接続されて、写真撮影システム１０とデータセンターサーバ装置２０と管理センターサーバ装置４０との間で、写真撮影システム１０で作成された画像データや装置間同士での制御情報などの送受信を行う。そのため、第１のネットワーク５０は、ＩＰ−ＶＰＮ（Internet Protocol Virtual Private Network ）など仮想私設専用網とするのが好適である。
一方、データセンターサーバ装置２０と印刷加工受付装置３０とは、図１に示したように、第１のネットワーク５０とは異なる第２のネットワーク６０、例えばインターネットなどの公的な通信網で接続されているが、第１のネットワーク５０で接続されるようにしてもよい。
【００１５】
写真撮影システム１０は、顧客の撮影受付や被撮影者の撮影などの各種業務と、アルバムなどの印刷媒体として顧客に渡すことができるように加工準備業務と、を行う。
データセンターサーバ装置２０は、写真撮影システム１０で撮影により作成された画像データや顧客情報を取り纏めて管理を行い、印刷加工受付装置３０に対して印刷発注業務を行う。
管理センターサーバ装置４０は、写真撮影印刷管理システム１全体を統括管理する。例えば、写真印刷システム１０により撮影業務によって生じる経理処理などを行う。
印刷加工受付装置３０は、データセンターサーバ装置２０を経由して写真撮影システム１０から、印刷媒体に加工するよう依頼を受け付け、この依頼に対応して印刷媒体を作成する。
【００１６】
次に、本発明の写真撮影システム１０について詳細に説明する。
図２は本発明の写真撮影システム１０の構成図である。写真撮影システム１０は、管理センターサーバ装置４０を運営する会社の各営業店やフランチャイズ店舗等（以下、「営業店等」という。）に構築されるものであり、各営業店等の撮影スタジオ内に配備されて被撮影者２を撮影する撮影部１００と、顧客の受付業務や注文受付業務を行う受付部２００と、この写真撮影システム１０を統括管理し、顧客の予約情報や撮影部１００で作成された画像データなど各種の情報を格納するサーバ装置３００とを備えている。
【００１７】
次に、撮影部１００について詳細に説明する。
撮影部１００は、撮影者３が被撮影者２を撮影するためのデジタルカメラ１１０と、撮影者３が利用する撮影者用端末装置１２０と、デジタルカメラ１１０による撮影で作成された画像情報を順次表示するモニター装置１３０（１３０ａ，１３０ｂ）と、を備えている。デジタルカメラ１１０と各モニター装置１３０ａ，１３０ｂやサーバ装置３００とはケーブルで接続されておらず、デジタルカメラ１１０で撮影により作成された画像データをデジタルカメラ１１０から無線ＬＡＮ（Local Area Network）１１を介在して順次送出される。そのため、電波中継器である無線ＬＡＮアクセスポイント１２が設置されており、無線ＬＡＮアクセスポイント１２は、後述する有線ＬＡＮ１３との中継点の役目も果たしている。
【００１８】
デジタルカメラ１１０は、撮影で画像データを作成する撮影処理部１１１と、撮影処理部１１１で作成された画像データをサーバ装置３００やモニター装置１３０ａ及び１３０ｂに送信するデータ送信部１１２と、を備える。撮影処理部１１１は、例えば約１６７０万画素の３５ｍｍフルサイズのＣＭＯＳセンサーで撮影して画像データを作成する。
【００１９】
撮影者用端末装置１２０は、サーバ装置３００に対して各種要求を行い、その要求に対応した返答を受信する送受信部１２１と、サーバ装置３００に対して各種要求を行えるように、撮影者３に対して各種情報を表示し、かつ撮影者３からの入力を受け付ける表示入力部１２２と、撮影者用端末装置１２０内を制御する制御部１２３とを備えている。表示入力部１２２は、タッチパネル式ディスプレイであっても、表示部と該表示部の表示画面上でカーソル等を移動させて選択入力するポインティングデバイスやキーボードなどの入力部とから構成されていてもよい。
【００２０】
モニター装置１３０は、複数、例えば図に示すように二台備えられており、一台は撮影者３が撮影した結果を確認するために撮影者３に画面を向けて設置された確認用モニター装置１３０ａで、もう一台は被撮影者２が撮影結果を確認したり、また、被撮影者２の同行者が撮影結果を確認したりするための演出用モニター装置１３０ｂである。図に示した例では、演出用モニター装置１３０ｂは撮影スタジオ外に設置されて、撮影スタジオ内に入りきれない同行者が撮影結果を容易に確認することができるようになっているが、被撮影者２が撮影結果を確認することができるように、被撮影者２に画面を向けて配置されていてもよい。
各モニター装置１３０には、デジタルカメラ１１０のデータ送信部１１２から画像データなどを受信するデータ受信部１３１と、データ受信部１３１が受信した画像データを表示するモニター画面表示部１３２を備えている。
【００２１】
このように、本発明においては、撮影部１００において、撮影者３が撮影結果を確認するための確認用モニター装置１３０ａを備え、デジタルカメラ１１０による撮影で撮影処理部１１１により作成された画像データが、データ送信部１１２を介して無線ＬＡＮ１１で確認用モニター装置１３０ａに送信される。そして、確認用モニター装置１３０ａのデータ受信部１３１がその画像データを受信すると、モニター画面表示部１３２がその画像データを表示するので、撮影者３はデジタルカメラ１１０で撮影をしながら、確認用モニター装置１３０ａに表示された画像データを見て、撮影結果を確認することができる。
【００２２】
また、本発明においては、被撮影者２やその同伴者が撮影結果を見るための演出用モニター装置１３０ｂを備え、デジタルカメラ１１０の撮影により撮影処理部１１１で作成された画像データが、データ送信部１１２を介して無線ＬＡＮ１１で演出用モニター装置１３０ｂに送信される。そして、演出用モニター装置１３０ｂのデータ受信部１３１がその画像データを受信すると、モニター画面表示部１３２がその画像データを表示するので、被撮影者２やその同伴者は撮影されながら、演出用モニター装置１３０ｂに表示された画像データを見て、撮影状況を確認することができる。
特に、図１や図２に示すように撮影スタジオ外に演出用モニター装置１３０ｂを配置することにより、撮影スタジオ内に入れない同伴者は、被撮影者２の撮影状況を瞬時に把握することができる。
【００２３】
また、撮影スタジオ外に演出用モニター装置１３０ｂを配置する場合には、図２の写真撮影システム１０に示すように、デジタルカメラ１１０には、音声を入力して音声データを作成する音声入力部１１３と、該音声入力部１１３で作成した音声データも演出用モニター装置１３０ｂに送信するデータ送信部１１３と、を備えたものを採用することが好ましい。同時に、撮影スタジオ外に配置される演出用モニター装置１３０ｂには、デジタルカメラ１１０のデータ送信部１１３から送信された画像データ及び音声データを受信するデータ受信部１３１と、このデータ受信部１３１で受信した音声データに基いて音声出力を行う音声出力部１３３と、を備えたものを配置するとよい。このように構成することにより、撮影スタジオ内に入りきれない同伴者にも撮影状況をリアルタイムで知らせることができる。なお、データ送信部１１２は、画像データと音声データとを纏めて送信してもよいし、個別に送信するようにしてもよい。また、演出用モニター装置１３０ｂは一台だけ備える場合の他、複数、即ち、撮影スタジオ内と撮影スタジオ外とにそれぞれ設置してもよい。
【００２４】
次に、受付部２００について詳細に説明する。
受付部２００は、撮影の予約業務や受付業務に用いられる受付用端末装置２１０と、撮影終了後顧客が撮影部１００で撮影した結果を閲覧し、その中からアルバムなどの印刷媒体中に含ませる画像情報を選択指定するために用いられる顧客用端末装置２２０と、精算業務に用いられるＰＯＳ（Point of Sales）端末機などの精算業務用端末装置２３０と、を備えている。これら受付用端末装置２１０，顧客用端末装置２２０，精算業務用端末装置２３０はサーバ装置３００と有線ＬＡＮ１３で接続されており、サーバ装置３００の外部入出力装置として機能し、サーバ装置３００と連携して各種業務を行う。
【００２５】
そのため、受付用端末装置２１０は、サーバ装置３００に対して各種の要求を行い、その要求に対応した返答を受信する送受信部２１１と、サーバ装置３００に対して各種の要求を行えるように、受付店員に対して各種の情報を表示し、かつ受付店員からの入力を受け付ける表示入力部２１２と、受付用端末装置２１０内を制御する制御部２１３とを備えている。また、顧客用端末装置２２０，精算業務用端末装置２３０も、同様に、送受信部２２１，２３１と表示入力部２２２，２３２と制御部２２３，２３３とを備えている。
【００２６】
ここで、サーバ装置３００について詳細に説明する。
図３はサーバ装置３００の内部機能を模式的に示した構成図である。サーバ装置３００は情報記憶領域３１１とデータ記憶領域３１５とを備えた記憶部３１０を有している。記憶情報領域３１１は、撮影予約者の氏名などを格納する予約情報欄と、撮影受付を行った顧客の氏名などを格納する受付情報欄と、撮影を終了してまだ印刷発注を行っていない顧客の氏名などを格納する発注待ち情報欄と、を備えている。この記憶情報領域３１１には、各種業務に必要となる情報、例えば、印刷媒体に加工する際の台紙情報や料金明細情報などを格納してもよい。一方、データ記憶領域３１５には、デジタルカメラ１１０で撮影して送信された画像データを格納する。記憶部３１０は、サーバ装置３００内に設けられても、外付けであってもよい。
【００２７】
サーバ装置３００は、撮影者用端末装置１２０や受付用端末装置２１０や顧客用端末装置２２０や精算用業務用端末装置２３０からの各種要求を受けて、これらの要求に対する返答をそれぞれ返信する送受信部３２０を備えている。送受信部３２０は受信した要求内容に応じて以下説明する各部に振り分けて転送する。
【００２８】
例えば、サーバ装置３００は、受付用端末装置２１０と連携し予約受付業務の際に用いられる予約管理部３３０を備える。即ち、予約管理部３３０は、受付用端末装置２１０から送受信部３２０を経由して予約画面の送信要求を受けると、受付用端末装置２１０の表示入力部２１２に予約画面を送信し、表示入力部２１２にその予約画像を表示させることにより、予約受付に必要な情報の入力を店員に対して促す。店員から予約者の氏名などの入力を受付用端末装置２１０が受けると、予約管理部３３０に予約情報として送信するので、予約管理部３３０は受信した予約情報を記憶部３１０に格納する。例えば、情報記憶領域３１１の予約情報欄にその顧客の氏名や会員番号等を格納する。
【００２９】
また、サーバ装置３００は、受付用端末装置２１０と連携し撮影の受付業務の際に用いられる受付管理部３４０を備える。即ち、受付管理部３４０は、受付用端末装置２１０から送受信部３２０を経由して撮影受付画面の送信要求を受けると、受付用端末装置２１０の表示入力部２１２に撮影受付画面を送信し、表示入力部２１２にその撮影受付画面を表示させることにより、来店して受付を行った顧客の顧客情報の入力を店員に対して促す。このとき、情報記憶領域３１１に格納されている予約情報から、例えばその日時に予約が入っている顧客の情報から顧客の氏名や会員番号を抽出して表示することが好ましい。そして、来店した顧客の氏名や会員番号などの入力を店員から受付用端末装置２１０が受けると、受付管理部３４０に受付情報として送信し、受付管理部３４０は受付情報を受信すると、情報記憶領域３１１の受付情報欄にその顧客の氏名や会員番号などを格納する。
【００３０】
また、サーバ装置３００は、受付管理部３４０により受付情報欄に顧客の氏名等を格納する毎に、データ記憶領域３１５に、その顧客用のデータを格納するための領域を確保し、確保した領域の管理を行う格納場所管理部３５０を備えている。即ち、格納場所管理部３５０は、受付管理部３４０と連携して、受付用端末装置２１０から撮影のために来店した顧客の氏名や会員番号の入力をサーバ装置３００が受けると、データ記憶領域３１５に、その顧客の画像データを格納するための格納場所を確保する。具体的には、サーバ装置３００には、所謂ファイル管理用のプログラムが搭載されており、このプログラムを起動させて、データ記憶領域３１５にその顧客用のフォルダを作成し、フォルダ名として顧客の氏名及び／又は会員番号を付する。
【００３１】
また、サーバ装置３００は、撮影者用端末装置１２０に対して、撮影当日受付を行った顧客の一覧を表示すると共に、撮影者用端末装置１２０から送信された顧客の氏名等に基いてデータ記憶領域３１５内の格納場所を指定する格納場所指定部３６０を備えている。即ち、格納場所指定部３６０は、撮影者用端末装置１２０から送受信部３２０を経由して、撮影当日受付を行った顧客一覧の表示要求を受けると、情報記憶領域３１１の受付情報欄に格納されている顧客名などの顧客情報を参照して、被撮影者の一覧情報を作成し、該一覧情報を送受信部３２０を経由させて、撮影者用端末装置１２０の表示入力部１２２に表示させる。このとき、撮影者に対していま現に撮影しようとする顧客の氏名を選択するように指示表示するが、顧客の氏名に限らず顧客の会員番号などでもよい。この指示表示により表示入力部１２２が撮影者３からいま撮影しようとする被撮影者の氏名の入力を受けると、この入力された情報が、格納場所指定情報として撮影者用端末装置１２０からサーバ装置３００に送信される。格納場所指定部３６０は、送受信部３２０を経由して格納場所指定情報を受けると、画像データ受信部３７０に対してこの格納場所指定情報、具体的には、データ記憶領域３１５内のフォルダ名を通知する。これにより、後述するように画像データ受信部３７０が受信する画像データをその通知されたデータ記憶領域３１５のフォルダ内に格納する。
【００３２】
また、サーバ装置３００は、デジタルカメラ１１０から送信された画像データを受信し、データ記憶領域３１５に記憶させる画像データ受信部３７０を備えている。即ち、前述のように画像データ受信部３７０は格納場所指定部３６０により通知された格納場所指定情報を一時保持しておき、デジタルカメラ１１０から画像データを受信すると、この格納場所指定情報に基いてデータ記憶領域３１５内の格納場所を特定し、この特定した格納場所に受信した画像データを格納する。具体的には、格納場所指定情報から対応するデータ記憶領域３１５内のフォルダを認識し、この認識したフォルダ内に受信した画像データを格納する。
【００３３】
また、サーバ装置３００は、データ記憶領域３１５内の各格納場所に格納されている画像データに基いてサムネイル画像を作成するサムネル画像作成部３８０や、顧客用受付端末２２０と連携して該顧客用端末装置２２０の表示入力部２２２にサムネイル画像の一覧を表示させ、この一覧から印刷すべき画像データを顧客に選択させて印刷注文を受ける印刷受付部３９０を備えている。ここで、サムネイルとは、画像の絵柄が一目で分かるように小さく表示した画像の見本であって、サムネイル画像作成部３８０にはサムネイル画像作成プログラムが格納されている。
【００３４】
次に、本発明の写真撮影システム１０により、撮影予約、撮影当日の受付、撮影、写真発注がどのようになされるかについて、詳細に説明する。
先ず、写真撮影システム１０の撮影予約手順について説明する。
図４は、本発明の写真撮影システム１０の撮影予約手順を示したシーケンス図である。予め顧客は写真撮影の予約を行うために、例えば、営業店等に来店し、店員から写真撮影の流れなどの説明を受ける。図４に示したシーケンス図は、店員が受付用端末装置２１０を操作する場合で説明している。
【００３５】
受付用端末装置２１０からサーバ装置３００に対して予約画面の送信要求がなされると（ＳＴ１−１）、サーバ装置３００の予約管理部３３０は受信した送信要求に対応し、予約画面を返信する（ＳＴ１−２）。
受付用端末装置２１０は、受信した予約画面を表示入力部２１２に表示し、店員に対して顧客の氏名や撮影日時などの予約情報の入力を促す（ＳＴ１−３）。
そして、受付用端末装置２１０は、表示入力部２１２に対して予約情報の入力を受けると（ＳＴ１−４）、表示入力部２１２に入力された予約情報を予約管理部３３０に送信する（ＳＴ１−５）。
予約情報を受信した予約管理部３３０は、記憶部３１０の情報記憶領域３１１の予約情報欄に予約者の氏名等を格納する（ＳＴ１−６）。
このように、顧客からの撮影予約に関する情報がサーバ装置３００に登録される。
【００３６】
次に、写真撮影システム１０の撮影受付手順について説明する。
図５は、本発明の写真撮影システム１０の撮影受付手順を示したシーケンス図である。顧客は撮影当日、営業店等に来店し、受付カウンターなどで撮影受付を行う。図５に示したシーケンス図は、店員が受付用端末装置２１０を操作する場合で説明している。
【００３７】
受付用端末装置２１０からサーバ装置３００に対して受付画面の送信要求がなされると（ＳＴ２−１）、サーバ装置３００の受付管理部３４０は受けた送信要求に対応し、受付画面を返信する（ＳＴ２−２）。
受付用端末装置２１０は、受信した受付画面を表示入力部２１２に表示し、店員に対して、受付した顧客の氏名などの顧客情報の入力を促す（ＳＴ２−３）。
そして、受付用端末装置２１０は、表示入力部２１２に対して顧客情報の入力を受けると（ＳＴ２−４）、表示入力部２１２に入力された顧客情報を受付情報として受付管理部３４０に送信する（ＳＴ２−５）。
【００３８】
受付情報を受信した受付管理部３４０は、記憶部３１０の情報記憶領域３１１の受付情報欄に顧客の氏名等を格納する（ＳＴ２−６）。また、この格納処理と相前後して、格納場所管理部３５０に対して受付情報を送信し（ＳＴ２−７）、格納場所管理部３５０は、当日撮影で作成される画像データの格納場所をデータ記憶領域３１５に確保する（ＳＴ２−８）。この格納場所は顧客毎に確保される。
このようにして、受付処理と同時に、撮影で作成された画像データを格納するために、その格納場所をサーバ装置３００のデータ記憶領域３１５に予め確保しておく。
【００３９】
次に、写真撮影システム１０による撮影手順について説明する。
図６は本発明の写真撮影システム１０の撮影手順を示すシーケンス図である。顧客は撮影の受付が終了すると、例えば所定の衣裳などに着替えて撮影スタジオに入る。図６に示したシーケンス図は、撮影を行うカメラマンが撮影者用端末装置１２０を操作する場合で説明している。
撮影者用端末装置１２０からサーバ装置３００に対して被撮影者一覧要求の送信がなされると（ＳＴ３−１）、サーバ装置３００の格納場所指定部３６０は、受けた被撮影者一覧要求に対応し、記憶部３１０の情報記憶領域３１１から前述のＳＴ２−６で受付情報欄に格納されている顧客情報を参照して、被撮影者一覧情報を作成する（ＳＴ３−２）。このとき、被撮影者の氏名を基にして被撮影者一覧情報が作成されることが好ましい。そして、撮影者用端末装置１２０にその作成された被撮影者一覧情報が送信される（ＳＴ３−３）。
撮影者用端末装置１２０は、被撮影者一覧情報を受信すると、表示入力部１２２に表示し、撮影者に対して今から撮影される顧客の氏名等を選択入力させる（ＳＴ３−４）。このように表示入力部１２２に逐一被撮影者の一覧が表示されるので、間違って他の顧客を撮影することを未然に防ぐことができる。
【００４０】
撮影者がこれから撮影される顧客の氏名等を、表示入力部１２２から選択して入力する（ＳＴ３−５）。すると、この入力された顧客情報が、データ記憶領域３１５の格納場所を指定する情報（以下、「格納場所指定情報」とする。）として、格納場所指定部３６０に送信される（ＳＴ３−６）。
格納場所指定部３６０は、格納場所指定情報を受信すると、受信した格納場所指定情報を画像データ受信部３７０に通知する（ＳＴ３−７）。これにより、画像データ受信部３７０はこれからデジタルカメラ１１０から送信される画像データの格納場所を特定することができる。
【００４１】
そして、デジタルカメラ１１０による撮影で撮影処理部１１１により画像データが作成されると（ＳＴ３−８）、作成された画像データはデジタルカメラ１１０のデータ送信部１１２を経由して、サーバ装置３００の画像データ受信部３７０とモニター装置１３０のデータ受信部１３１とに送信される（ＳＴ３−９）。モニター装置１３０のデータ受信部１３１は画像データを受信すると、受信した画像データをモニター画面表示部１３２に表示する。一方、サーバ装置３００の画像データ受信部３７０は画像データを受信すると、ＳＴ３−７により通知された格納場所指定情報からデータ記憶領域３１５内の格納場所を特定し、特定した格納場所に受信した画像データを格納する（ＳＴ３−１０）。
【００４２】
ここで、引き続き同一の顧客を撮影する場合には、ＳＴ３−８乃至ＳＴ３−１０が繰り返される。これは、画像データ受信部３７０が特定している格納場所に変更がないためである。しかし、別の顧客を撮影する場合、つまり、データ記憶領域３１５内に複数の格納場所が確保されており、画像データの格納場所を変える場合には、ＳＴ３−１から順次行って画像データの格納場所を指定する。よって、複数の顧客に対して、撮影で作成した画像データの格納場所を、それぞれ顧客毎に指定することができる。また、一台のデジタルカメラ１１０で、かつ顧客毎に記録媒体を用意する必要がないので効率的である。また、被撮影者が衣裳替えなどを行う場合には、その空いた時間に別の顧客の撮影を行うことができる。
【００４３】
また、顧客が全ての撮影を終了する場合には、撮影終了後、撮影者用端末装置１２０の表示入力部１２２に表示された「撮影終了」のボタンを押す（ＳＴ３−１１）。すると、顧客用端末装置１２０からサーバ装置３００のサムネイル画像作成部３８０に対して撮影終了の制御情報が通知される（ＳＴ３−１２）。
【００４４】
サムネイル画像作成部３８０は、撮影終了の制御情報の入力を受けると、格納場所指定部３６０や画像データ受信部３７０から格納場所指定情報を入手し、入手した格納場所指定情報を基にデータ記憶領域３１５の格納場所と特定し、特定した格納場所に格納されている画像データのサムネイル画像を作成する（ＳＴ３−１３）。このとき、記憶部３１０の情報記憶領域３１１内の受付情報欄から格納場所指定情報を基に被撮影者の氏名などの顧客情報を削除する。一方、情報記憶領域３１１内の発注待ち情報欄に、被撮影者の氏名などの顧客情報を登録する。
【００４５】
以上の説明においては、デジタルカメラ１１０からモニター装置１３０に画像データのみが送信される場合を示したが、演出用モニター装置１３０ｂに画像データと音声データを送信する場合には、画像データを作成する度に作成した画像データを送信し、音声データは常時デジタルカメラ１１０から演出用モニター装置１３０に送信するようにしてもよいし、撮影で画像データを作成した時に同時に音声入力部１１３で撮影時の音声データを作成して画像データと音声データとを併せて音声画像データとして演出用モニター装置１３０ｂに送信するようにしてもよい。また、デジタルカメラ１１０からサーバ装置３００への画像データの送信とモニター装置１３０への画像データの送信とは同時に行うことが好ましい。
【００４６】
次に、写真撮影システム１０による発注手順について説明する。
図７は本発明の写真撮影システム１０の発注手順を示すシーケンス図である。顧客は撮影が全て終了すると、撮影スタジオから顧客用端末装置２２０が設置されている場所に移動し、そこで、本日撮影した結果を見ながら印刷発注したい画像データを選択する。図７に示したシーケンス図は、店員が顧客に説明しながら、顧客用端末装置２２０を操作する場合で説明している。
【００４７】
顧客用端末装置２２０からサーバ装置３００に対して発注画面の送信要求がなされると（ＳＴ４−１）、サーバ装置３００の印刷受付部３９０は、記憶部３１０の情報記憶領域３１１の発注待ち情報欄から顧客情報を入手して、発注待ち顧客一覧情報を作成し（ＳＴ４−２）、発注画面として顧客用端末装置２００に返信する（ＳＴ４−３）。
顧客用端末装置２００は、受信した発注画面を表示入力部２２２に表示し、顧客の氏名などの顧客を特定する情報（「顧客特定情報」という。）の入力を顧客や店員に対して促す（ＳＴ４−４）。
【００４８】
顧客用端末装置２００の表示入力部２２２に対して顧客特定情報を入力し（ＳＴ４−５）、次の発注画面の表示要求の入力があると、顧客用端末装置２００はその表示要求を顧客特定情報と共に印刷受付部３９０に送信する（ＳＴ４−６）。
印刷受付部３９０は、顧客特定情報と共に次の発注画面の表示要求を受けると、顧客特定情報を基に、サムネイル画像作成部３８０に一時的に格納されている各サムネイル画像を抽出して（ＳＴ４−７）、顧客特定情報に対応した発注画面を作成して顧客用端末装置２２０に送信する（ＳＴ４−８）。顧客用端末装置２００は、発注画面を受信すると、表示入力部２２２に表示する（ＳＴ４−９）。
次に、顧客は表示入力部２２２に表示された発注画面を見ながら、表示内容の指示に従って、印刷発注したい画像データを選択する（ＳＴ４−１０）。
【００４９】
顧客による発注したい画像データの選択が終了すると、顧客用端末装置２２０から選択した画像データについて、印刷注文情報として、印刷受付部３９０に送信される（ＳＴ４−１１）。印刷注文情報は、例えば、顧客の氏名又は会員番号と、画像データのファイル名とからなっている。
そして、印刷受付部３９０は、印刷注文情報を受けて、印刷発注処理を行う（ＳＴ４−１２）。例えば、図１に示すように、サーバ装置３００には第１のネットワーク５０を介してデータセンタサーバ装置２０に接続されているので、一定の期間毎に、データセンターサーバ装置２０に対して、サーバ装置３００の印刷受付部３９０にある印刷注文情報を送信する。データセンターサーバ装置２０は、印刷加工受付装置３０から定期的にデータセンターサーバ装置２０にある印刷注文情報を取得する。このように写真撮影印刷管理システム１を構築しておくことで、印刷加工受付装置３０に、印刷注文情報が渡されることになる。そして、印刷加工受付装置３０は、印刷注文情報に応じて写真を印刷する。
【００５０】
以上、本発明の写真撮影システム１０により、撮影予約、撮影当日の受付、撮影、写真発注がなされる。
特に、本発明においては、撮影段階において、デジタルカメラ１１０で撮影した画像データをサーバ装置３００に格納するために送信する際に、モニター装置１３０にも画像データを送信して、モニター装置１３０にリアルタイムに画像データを表示する。よって、撮影者、被撮影者及びその同行者は、リアルタイムに撮影結果を確認することができ、撮影者にとっては撮影業務を円滑に行うことができる一方、被撮影者やその同行者も撮影最中に写真の写り栄えを確認できる。特に、撮影スタジオに入りきれない同行者にとっては、撮影状況をリアルタイムで知ることができる。
なお、本実施の態様では、被撮影者、即ち、被写体を単数の人物を対象として説明したが、人物に限らず愛玩動物や静物などであってもよいことは勿論である。
【図面の簡単な説明】
【００５１】
【図１】本発明の写真撮影システムが組み込まれる写真撮影印刷管理システムの構成図である。
【図２】本発明の写真撮影システムの構成図である。
【図３】サーバ装置の内部機能を模式的に示した構成図である。
【図４】本発明の写真撮影システムの撮影予約手順を示したシーケンス図である。
【図５】本発明の写真撮影システムの撮影受付手順を示したシーケンス図である。
【図６】本発明の写真撮影システムの撮影手順を示すシーケンス図である。
【図７】本発明の写真撮影システムの発注手順を示すシーケンス図である。
【符号の説明】
【００５２】
１  写真撮影印刷システム
２  被撮影者
３  撮影者
１０  写真撮影システム
１１  無線ＬＡＮ
１２  無線ＬＡＮアクセスポイント
１３  有線ＬＡＮ
２０  データセンターサーバ装置
３０  印刷加工受付装置
４０  管理センターサーバ装置
５０  第１のネットワーク
６０  第２のネットワーク
１００  撮影部
１１０  デジタルカメラ
１１１  撮影処理部
１１２  データ送信部
１２０  撮影者用端末装置
１２１，２１１，２２１，２３１  送受信部
１２２，２１２，２２２，２３２  表示入力部
１２３，２１３，２２３，２３３  制御部
１３０ａ  確認用モニター装置（モニター装置）
１３０ｂ  演出用モニター装置（モニター装置）
１３１  データ受信部
１３２  モニター画面表示部
１３３  音声出力部
２００  受付部
２１０  受付用端末装置
２２０  顧客用端末装置
２３０  精算業務用端末装置
３００  サーバ装置
３１０  記憶部
３１１  情報記憶領域
３１５  データ記憶領域
３２０  送受信部
３３０  予約管理部
３４０  受付管理部
３５０  格納場所管理部
３６０  格納場所指定部
３７０  画像データ受信部
３８０  サムネイル画像作成部
３９０  印刷受付部
【図１】
2006295255.tif 000003
【図２】
2006295255.tif 000004
【図３】
2006295255.tif 000005
【図４】
2006295255.tif 000006
【図５】
2006295255.tif 000007
【図６】
2006295255.tif 000008
【図７】
2006295255.tif 000009